(57)【要約】【課題】  １種類のマイクでの音声ズーム機能と左右映像に対するズームを可能とする。【解決手段】  無指向性マイクロホン１種にて正面の音声と、左右の広がり感を持たせる音声とを別々に信号処理する記録用信号処理部９と、再生時に音声をズームする時に左右音声を独立して生成させる再生用信号処理部１２を備えることを特徴とする。【選択図】  図１
2005236644.tif 000002
【特許請求の範囲】
【請求項１】
複数のマイクロホンと、
前記複数のマイクロホンからの複数の音声信号から３種類以上の音声信号を生成する音声信号処理手段と、
前記３種類以上の音声信号を別々に記録する手段と、
再生時に前記３種類以上の記録信号を読み出し２種以上の信号を生成する再生音声信号処理手段を備えたことを特徴とする記録再生装置。
【請求項２】
請求項１に記載の記録再生装置において、音声信号処理手段が指向特性の異なる３種類以上の音声信号を生成することを特徴とする記録再生装置。
【請求項３】
請求項２に記載の記録再生装置において、再生信号処理手段が混合比を２種類以上持ちその２種類以上の混合比を選択する手段を備えたことを特徴とする記録再生装置。
【請求項４】
請求項１〜３のいずれかに記載の記録再生装置において、前記複数のマイクロホンは、指向性を有しない２つ以上のマイクロホンであることを特徴とする記録再生装置。
【請求項５】
複数のマイクロホンと、
前記複数のマイクロホンからの２種類以上の音声信号から３種類以上の音声信号を生成する音声信号処理手段と、
映像信号を入力する映像入力手段と、
前記映像入力手段から入力された映像信号と上記３種類以上の音声信号とを別々に記録する記録手段と、
再生時に前記記録手段に記録された映像信号のズーム処理をするズーム手段と、
前記ズーム手段からズーム信号に基づいて上記記録手段に記録された３種類以上の音声信号を読み出し混合比を変えることで２種以上の信号を生成する再生音声信号処理手段を備えたことを特徴とする記録再生装置。
【請求項６】
請求項５のいずれかに記載の記録再生装置において、前記複数のマイクロホンは、指向性を有しない２つ以上のマイクロホンであることを特徴とする記録再生装置。
【請求項７】
複数のマイクロホンからの音声信号の記録再生方法であって、
前記複数のマイクロホンからの複数の音声信号から３種類以上の音声信号を生成する音声信号処理工程と、
前記３種類以上の音声信号を別々に記録する工程と、
再生時に前記３種類以上の記録信号を読み出し２種以上の信号を生成する再生音声信号処理工程を備えたことを特徴とする記録再生方法。
【請求項８】
複数のマイクロホンからの音声信号と映像入力手段からの映像信号の記録再生方法であって、
前記複数のマイクロホンからの２種類以上の音声信号から３種類以上の音声信号を生成する音声信号処理工程と、
前記映像入力手段から入力された映像信号と上記３種類以上の音声信号とを別々に記録する記録工程と、
再生時に前記記録工程において記録された映像信号のズーム処理をするズーム工程と、
前記ズーム工程からズーム信号に基づいて上記記録された３種類以上の音声信号を読み出し混合比を変えることで２種以上の信号を生成する再生音声信号処理工程を備えたことを特徴とする記録再生方法。
【発明の詳細な説明】
【技術分野】
【０００１】
本発明は、本発明は記録再生装置及び記録再生方法に関して、音声の信号処理に関するものである。
【背景技術】
【０００２】
従来の記録装置には、再生時音声ズームを施したものがある（例えば、特許文献１参照）。以下、従来の再生時音声ズームについて説明する。従来、記録装置では、指向性マイクロホンと無志向性マイクロホンの２種類を使用し、２種の音声を記録し、映像信号と同期するよう再生時に混合比を変えて音声を出力していた。
【特許文献１】特開２００１−２６８５０４号公報
【発明の開示】
【発明が解決しようとする課題】
【０００３】
しかしながら、上記従来例では２種のマイクを搭載しなければならない。また正面に対してのズーム機能しかなく、左右映像に対してのズームが不可能である。
【０００４】
本発明は上述した問題点を解決するためのものであり、１種類のマイクでの音声ズーム機能と左右映像に対するズームが可能な記録再生装置及び記録再生方法を提供することを目的とする。
【課題を解決するための手段】
【０００５】
上記目的を達成するために、本発明の記録再生装置は、複数のマイクロホンと、前記複数のマイクロホンからの複数の音声信号から３種類以上の音声信号を生成する音声信号処理手段と、前記３種類以上の音声信号を別々に記録する手段と、再生時に前記３種類以上の記録信号を読み出し２種以上の信号を生成する再生音声信号処理手段を備えたことを特徴とする。
【０００６】
また、本発明の記録再生装置は、複数のマイクロホンと、前記複数のマイクロホンからの２種類以上の音声信号から３種類以上の音声信号を生成する音声信号処理手段と、映像信号を入力する映像入力手段と、前記映像入力手段から入力された映像信号と上記３種類以上の音声信号とを別々に記録する記録手段と、再生時に前記記録手段に記録された映像信号のズーム処理をするズーム手段と、前記ズーム手段からズーム信号に基づいて上記記録手段に記録された３種類以上の音声信号を読み出し混合比を変えることで２種以上の信号を生成する再生音声信号処理手段を備えたことを特徴とする。
【０００７】
また、本発明の記録再生方法は、複数のマイクロホンからの音声信号の記録再生方法であって、前記複数のマイクロホンからの複数の音声信号から３種類以上の音声信号を生成する音声信号処理工程と、前記３種類以上の音声信号を別々に記録する工程と、再生時に前記３種類以上の記録信号を読み出し２種以上の信号を生成する再生音声信号処理工程を備えたことを特徴とする。
【０００８】
また、本発明の記録再生方法は、複数のマイクロホンからの音声信号と映像入力手段からの映像信号の記録再生方法であって、前記複数のマイクロホンからの２種類以上の音声信号から３種類以上の音声信号を生成する音声信号処理工程と、前記映像入力手段から入力された映像信号と上記３種類以上の音声信号とを別々に記録する記録工程と、再生時に前記記録工程において記録された映像信号のズーム処理をするズーム工程と、前記ズーム工程からズーム信号に基づいて上記記録された３種類以上の音声信号を読み出し混合比を変えることで２種以上の信号を生成する再生音声信号処理工程を備えたことを特徴とする。
【発明の効果】
【０００９】
本発明によれば、マイクを１種類にて音声ズーム機能を果たすことにより小型軽量化が可能となりまた低コストにて機能を実現することが可能となる。また左右の映像に対してズームした場合でも最適な音声ズームを施すことが可能となる。
【発明を実施するための最良の形態】
【００１０】
以下、図面を参照して本発明の実施の形態を説明する。
【００１１】
（第１の実施形態）
第１の実施形態として、左右広がり／正面音声別記録＋再生時音声指向性変更＋表示方式を例にとって、図１、図２、図３、図４、図５、図６、図７に基づき説明する。
【００１２】
図１は本発明を適用した記録再生装置のブロック図であり、図１において１は左側音声信号を取り込むところのＬｃｈマイク部、２は右側音声信号を取り込むところのＲｃｈマイク部、３は音声信号を増幅させるところのマイクアンプ部１、４は音声信号を増幅させるところのマイクアンプ部２、５はマイクアンプ部の出力信号を、右音声、左音声、正面音声とに分ける音声信号処理部、６は音声信号処理部の出力信号をＡ／Ｄ変換するところの音声Ａ／Ｄ部、７はユーザーに再生時の音声の方向性を知らせるところの表示部、８は周辺回路を制御するところのマイコン部、９は音声Ａ／Ｄ部の出力信号を記録媒体のフォーマットに応じて記録媒体に出力するところの記録用信号処理部、１０はユーザーが再生時の音声の方向性を変えることができる操作部、１１は再生用信号処理部からの出力信号をＤ／Ａするところの音声Ｄ／Ａ部、１２は記録部の出力信号を右の音声と左の音声とに集約させるところの再生用信号処理部、１３は音声データを記録するところの記録部、１４は音声Ｄ／Ａ部の出力信号をアンプするところのアンプ部、１５はアンプ部の出力信号を音声として出力するところの音声出力部である。
【００１３】
図２は、マイクを２つ使用した場合での記録系の信号処理の具体的な例を示す。図２において１６は３マイクアンプ部１と４マイクアンプ部２の出力信号から左音声を生成する左音声信号処理部、１７は３マイクアンプ部１と４マイクアンプ部２の出力信号から右音声を生成する右音声信号処理部、１８は３マイクアンプ部１と４マイクアンプ部２の出力信号から正面音声を生成する正面音声信号処理部、１９は５左信号信号処理部をＡ／Ｄする音声Ａ／Ｄ部１、２０は６右音声信号処理部をＡ／Ｄする音声Ａ／Ｄ部２、２１は７正面音声信号処理部をＡ／Ｄする音声Ａ／Ｄ部３である。
【００１４】
図３は、記録用信号処理部の具体的な例を示す。２２は音声Ａ／Ｄ部１の信号を入力するデジタルデータ入力部１、２３は音声Ａ／Ｄ部２の信号を入力するデジタルデータ入力部２、２４は音声Ａ／Ｄ部３の信号を入力するデジタルデータ入力部３、２５は１デジタルデータ入力部１と２デジタルデータ入力部２と３デジタルデータ入力部３を一時記憶しておくメモリ部である。
【００１５】
図４は、再生用信号処理部の具体的な例を示す。２６は記録部から再生時に出力される音声データを一時記憶するとことのメモリ部、２７はＲｃｈの音声信号を出力するところのＲｃｈデータ出力部１、２８はＬｃｈの音声信号を出力するところのＬｃｈデータ出力部２、２９は正面の音声を出力するところＣｃｈデータ出力部３、３０は２デジタルデータ出力部１と４デジタルデータ出力部３の信号から図１のＲｃｈの信号を生成するところのＲｃｈデータＭＩＸ部、３１は３デジタルデータ出力部２と４デジタルデータ出力部３の信号からＬｃｈの信号を生成するところのＬｃｈデータＭＩＸ部である。
【００１６】
図５、図６は、図４のＲｃｈデータＭＩＸ部３０とＬｃｈデータＭＩＸ部３１の具体的なＭＩＸ比のグラフであり、図５の面Ｘ−Ｚは音声ズームを行っていない時の面、Ｙ軸方向が音声ズーム方向、図５の辺ＦＧは音声ズームを行っていない時の具体的な位置、図５の辺ＤＥは音声ズームの最大の位置、図５のＯはＸ＝Ｙ＝０の点、図５のＡ点は音声ズームを施したい位置、図５のＨは線ＯＡとＤＥＦＧの交点、図５のＢは辺ＧＨ上の点で且ＯＡ⊥ＡＢとなる点、図５の点Ｃは辺ＦＨ上の点で且ＯＡ⊥ＡＣとなる点、また図５のＯＢとＯＣの長さは等しい。このとき図５のベクトルＯＢを図４のＲｃｈＭＩＸ部から生成し出力させ、図５のベクトルＯＣを図４のＬｃｈＭＩＸ部から出力させる。ベクトルＯＢは図６のＲｃｈデータのベクトルＯＪとＣｃｈデータのベクトルＯＬで構成され、ベクトルＯＣは図６のＬｃｈデータのベクトルＯＩとＣｃｈデータのベクトルＯＫで構成される。
【００１７】
図７は、音声のみのズーム機能を搭載した機器に対しての表示例であり、図７の３２表示画面１がズーム無しの状態での表示画面であり、図７の３３表示画面２が３２表示画面内の矩形枠部分をズームした場合の図である。図７の３３表示画面２の右下の３４矩形枠は図７の３２表示画面１のズームした位置を示すために画像上に重畳されている。
【００１８】
以下、音声指向性変更機能を、図１を中心に各部の動作説明を行う。各部の動作は、マイコン部８により図９に示す手順で制御されている。
【００１９】
まず、音声信号が図１の１Ｌｃｈマイク部と図１の２Ｒｃｈマイク部に入力された場合電気信号に変換し、図１の３マイクアンプ部１と図１の４マイクアンプ部２にて信号を増幅し図１の５音声信号処理部に伝達する。図１の５音声信号処理部では、図２の１６左信号信号処理部により左側の音声を生成し、図２の１７右音声信号処理部により右の音声を生成し、図２の１８正面音声生成部により正面の音声を生成する（Ｓ１０１）。
【００２０】
３種類の信号を図１の６音声Ａ／Ｄ部にてデジタル信号に変換し、図１の９記録信号処理部に伝達される。図１の９記録信号処理部では、３種類の信号を図３の２２デジタルデータ入力部１と、図３の２３デジタルデータ入力部２、図３の２４デジタルデータ入力部３にて受け取り一度図３の２５メモリ部にて記憶し、図１の８マイコン部からの制御信号により記録フォーマットにあわせて図１の１３記録部にて記録する（Ｓ１０２）。
【００２１】
ユーザーが図１の７操作部にて再生コマンドを選択し、再生時音声指向性変更を行った場合（Ｓ１０３）、図１の８マイコン部が図１の１２再生信号処理部に再生コマンドとズーム倍率と音声位置の制御信号を送る。図１の１２再生信号処理部では、図１の１３記録部から送られてきた音声信号を一度図４の２６メモリ部にて記憶し右方向の音声信号を図４の２７Ｒｃｈデータ出力部に、左方向の音声信号を図４の２８Ｌｃｈデータ出力部に、正面の音声信号を図４の２９Ｃｃｈデータ出力部に、同時に出力する。図１の８マイコン部から受け取ったズーム倍率と音声位置情報により図４の３０ＲｃｈデータＭＩＸ部と、図４の３１ＬｃｈデータＭＩＸ部にて、図５、図６のような手法にて左右の音声を生成する。その信号を図１の１４アンプ部にて増幅し図１の１５音声出力部にて信号を出力する（Ｓ１０４）。このとき図１の７表示部にて図７の３２表示画面ような表示をして、ユーザーに音声位置情報を知らせる。
【００２２】
（第２の実施形態）
第２の実施形態として映像信号と連動して音声の指向性を変えるものについて図８を中心に説明する。図８において３４は映像信号を入力する映像信号入力部、３５は３種類以上の音声信号と映像信号を記録媒体のフォーマットに応じて記録媒体に出力するところの記録用信号処理部、３６は音声データ及び映像データを記録するところの記録部である。
【００２３】
以下、カメラ映像と連動した音声指向性変更機能を、図８を中心に各部の動作説明を行う。音声信号が図８の１Ｌｃｈマイク部と図８の２Ｒｃｈマイク部に入力された場合、電気信号に変換し、図８の３マイクアンプ部１と図８の４マイクアンプ部２にて信号を増幅し図８の５音声信号処理部に伝達する。図８の５音声信号処理部では、図２の１６左信号信号処理部により左側の音声を生成し、図２の１７右音声信号処理部により右の音声を生成し、図２の１８正面音声生成部により正面の音声を生成する。３種類の信号と映像信号を図８の６音声Ａ／Ｄ部にてデジタル信号に変換し、図８の９記録信号処理部に伝達される。音声と同時に入力された映像信号は、図８の３５記録信号処理部に入力される。
【００２４】
図８の３５記録信号処理部では３種類の音声信号と映像信号とを図８の８マイコン部からの制御信号により記録フォーマットにあわせて図８の３６記録部にて記録する。ユーザーが図８の７操作部にて再生コマンドを選択し、再生時映像ズームを行った場合、図８の８マイコン部が図８の１２再生信号処理部に再生コマンドとズーム倍率と音声位置の制御信号を送る。図８の１２再生信号処理部では、図８の１３記録部から送られてきた音声信号を一度図４の２６メモリ部にて記憶し右方向の音声信号を図４の２７Ｒｃｈデータ出力部に、左方向の音声信号を図４の２８Ｌｃｈデータ出力部に、正面の音声信号を図４の２９Ｃｃｈデータ出力部に、同時に出力する。図８の８マイコン部から受け取ったズーム倍率と音声位置情報により図４の３０ＲｃｈデータＭＩＸ部と、図４の３１ＬｃｈデータＭＩＸ部にて、図５、図６のような手法にて左右の音声を生成する。その信号を図８の１４アンプ部にて増幅し図８の１５音声出力部にて信号を出力する。このとき図８の７表示部にて図７のような表示をして、ユーザーに音声位置情報を知らせる。
【図面の簡単な説明】
【００２５】
【図１】本発明を適用した記録再生装置のブロック図である。
【図２】マイクを２つ使用した場合での記録系の信号処理の具体的な例を示す図である。
【図３】記録用信号処理部の具体的な例を示す図である。
【図４】再生用信号処理部の具体的な例を示す図である。
【図５】図４の３０ＲｃｈデータＭＩＸ部具体的なＭＩＸ比のグラフである。
【図６】図４の３１ＬｃｈデータＭＩＸ部の具体的なＭＩＸ比のグラフである。
【図７】ユーザーにズーム位置を示す為の表示例である。
【図８】実施形態２を表す図である。
【図９】本発明に係る音声指向性変更機能の制御手順を示すフローチャートである。
【符号の説明】
【００２６】
１  Ｌｃｈマイク部
２  Ｒｃｈマイク部
３  マイクアンプ部１
４  マイクアンプ部２
５  音声信号処理部
６  音声Ａ／Ｄ部
７  表示部
８  マイコン部
９  記録用信号処理部
１０  操作部
１１  音声Ｄ／Ａ部
１２  再生信号処理部
１３  記録部
１４  アンプ部
１５  音声出力部
１６  左信号信号処理部
１７  右信号信号処理部
１８  正面音声信号処理部
１９  音声Ａ／Ｄ部１
２０  音声Ａ／Ｄ部２
２１  音声Ａ／Ｄ部３
２２  デジタルデータ入力部１
２３  デジタルデータ入力部２
２４  デジタルデータ入力部３
２５  メモリ部
２６  メモリ部
２７  Ｒｃｈデータ出力部
２８  Ｌｃｈデータ出力部
２９  Ｃｃｈデータ出力部
３０  ＲｃｈデータＭＩＸ部
３１  ＬｃｈデータＭＩＸ部
３２  表示画面１
３３  表示画面２
３４  映像信号入力部
３５  記録信号処理部
３６  記録部
【図１】
2005236644.tif 000003
【図２】
2005236644.tif 000004
【図３】
2005236644.tif 000005
【図４】
2005236644.tif 000006
【図５】
2005236644.tif 000007
【図６】
2005236644.tif 000008
【図７】
2005236644.tif 000009
【図８】
2005236644.tif 000010
【図９】
2005236644.tif 000011